(57)【要約】【課題】CGの最大構成メンバ数を増やすことが可能となり、高品質、大容量通信サービスを提供する。  【解決手段】Ｈ４バイトフォーマットによるマルチフレームを用いたＳＤＨ／ＳＯＮＥＴ伝送を行う伝送装置であって、入力されるイーサネット信号をカプセル化してパケットデータを出力するパケット処理部22-1，22-2と、パケットデータを、Ｈ４バイトフォーマットを用いたバーチャルコンカチネーションによるＳＤＨ／ＳＯＮＥＴ信号にマッピングする際に、Ｈ４バイトフォーマット内のリザーブビットをＳＱビットとして追加するＳＤＨ／ＳＯＮＥＴ処理部23-1，23-2と、を有する。  【選択図】図１
2010226166.tif 000002
【特許請求の範囲】
【請求項１】
Ｈ４バイトフォーマットによるマルチフレームを用いたＳＤＨ／ＳＯＮＥＴ伝送でのバーチャルコンカチネーションのＳＱ処理方法であって、
パケットデータを、Ｈ４バイトフォーマットを用いたバーチャルコンカチネーションによるＳＤＨ／ＳＯＮＥＴ信号にマッピングする際に、前記Ｈ４バイトフォーマット内のリザーブビットをＳＱビットとして追加することを特徴とする、バーチャルコンカチネーションのＳＱ処理方法。
【請求項２】
Ｈ４バイトフォーマットによるマルチフレームを用いたＳＤＨ／ＳＯＮＥＴ伝送でのバーチャルコンカチネーションのＳＱ処理方法であって、
パケットデータを、Ｈ４バイトフォーマットを用いたバーチャルコンカチネーションによるＳＤＨ／ＳＯＮＥＴ信号にマッピングする際に、前記Ｈ４バイトフォーマット内の偶数番目のマルチフレームの所定のフレーム番号のH4バイトの上位ビットで第１SQを指定し、奇数番目の マルチフレームの所定のフレーム番号のH4バイトの上位ビット第２SQを指定し、前記第１SQと前記第２SQとの組合せによりSQを指定することを特徴とする、バーチャルコンカチネーションのＳＱ処理方法。
【請求項３】
請求項２に記載のバーチャルコンカチネーションのＳＱ処理方法において、
LCASを用いた場合の前記Ｈ４バイトフォーマット内のリザーブビットをステータスビットとして追加することを特徴とする、バーチャルコンカチネーションのＳＱ処理方法。
【請求項４】
Ｈ４バイトフォーマットによるマルチフレームを用いたＳＤＨ／ＳＯＮＥＴ伝送を行う伝送装置であって、
入力されるイーサネット信号をカプセル化してパケットデータを出力するパケット処理部と、
前記パケットデータを、Ｈ４バイトフォーマットを用いたバーチャルコンカチネーションによるＳＤＨ／ＳＯＮＥＴ信号にマッピングする際に、前記Ｈ４バイトフォーマット内のリザーブビットをＳＱビットとして追加するＳＤＨ／ＳＯＮＥＴ処理部と、
を有する伝送装置。
【請求項５】
Ｈ４バイトフォーマットによるマルチフレームを用いたＳＤＨ／ＳＯＮＥＴ伝送を行う伝送装置であって、
入力されるイーサネット信号をカプセル化してパケットデータを出力するパケット処理部と、
前記パケットデータを、Ｈ４バイトフォーマットを用いたバーチャルコンカチネーションによるＳＤＨ／ＳＯＮＥＴ信号にマッピングする際に、前記Ｈ４バイトフォーマット内の偶数番目のマルチフレームの所定のフレーム番号のH4バイトの上位ビットで第１SQを指定し、奇数番目の マルチフレームの所定のフレーム番号のH4バイトの上位ビット第２SQを指定し、前記第１SQと前記第２SQとの組合せによりSQを指定するＳＤＨ／ＳＯＮＥＴ処理部と、
を有する伝送装置。
【請求項６】
請求項５に記載の伝送装置において、
前記ＳＤＨ／ＳＯＮＥＴ処理部は、LCASを用いた場合のＨ４バイトフォーマット内のリザーブビットをステータスビットとして追加することを特徴とする伝送装置。
【請求項７】
請求項４から６のいずれか１項に記載の伝送装置と、該伝送装置と接続されるイーサネット機器とを有する伝送システム。
【発明の詳細な説明】
【技術分野】
【０００１】
本発明はバーチャルコンカチネーションのＳＱ処理方法、その伝送装置及び伝送システムに係わり、特にＨ４バイトフォーマットによるマルチフレームを用いたＳＤＨ／ＳＯＮＥＴ伝送でのバーチャルコンカチネーションのＳＱ処理方法、その伝送装置及び伝送システムに関する。
【背景技術】
【０００２】
近年のインターネット需要の拡大にともなう通信網インフラのブロードバンド化が進む中で、データ通信サービスの高速化、QoS(Quality of Service)に対する要望はますます高まっている。これを満たす多重伝送方式の一つにSDH(Synchronous Digital Hierarchy)/SONET(Synchronous Optical NETwork)がある。SDH/SONETは国際標準としてそれぞれ、ITU-T勧告G.703、Telcordia勧告GR-253-COREに規定されており、各種高速サービスだけでなく既存の低速サービスをも有効に多重化できる利点がある。そのなかでも特にSDH/SONET信号にイーサネット信号（イーサネットは登録商標）を収容するEthernet over SDH/SONET技術(EoS)が広く使用されており、ITU-TのG.707のVCAT(Virtual Concatenation)が新たに標準化された。
【０００３】
VCATがもつ長所は、離散パスを一つのバーチャルコンカチネーショングループ(VCG)として取り扱うことによって、従来のSDH/SONET信号の情報集収容単位である単独のVCパスや、コンティギュアスコンカチネーションに依存しない帯域を提供できることである。単独のVCパスとしては、例えばVC-4、VC-3、コンティギュアスコンカチネーションとしてはVC-4-4c、VC-4-16cなどがある。さらに、VCGのメンバであるそれぞれのVCパスは、同一の伝送路上だけではなく、距離の異なった複数の伝送路を独立して通過することが可能である。これはそれぞれのVCパスがITU-TのG.707にて定義されているH4バイトを用いてマルチフレームを構成しているため、経路が異なった伝送路を経由して到着時間が異なった場合においても、各VCパスの位相差を検出し、位相をそろえることができるためである。
【０００４】
特許文献１には、受信側回路で、特定パスの故障を検出したとき故障パスを除く正常パスからのデータのみを多重してデータ復元を行い、送信側回路で、受信側回路の故障状態に基づいて故障パスにはデータを割り当てないことにより、バーチャルコンカチネーションの複数パスの一部パスに故障が発生したときに正常パスを用いてデータ伝送を行うことの記載がある。
【０００５】
また特許文献２には、バーチャルコンカチネーションの１ないし複数のグループを構成する物理チャネルを含むＳＴＭペイロード信号のデータ部分を、物理チャネル毎にＭＦＩ値別に位相調整メモリ１２に記憶し、グループ毎の全ての物理チャネルにおいてタイマによる所定の制限時間Ｔｍａｘ内で比較用ＭＦＩ値に等しいＭＦＩ値の受信に基づいて位相調整メモリに記憶したデータ部分の読み出しを開始することの記載がある。
【先行技術文献】
【特許文献】
【０００６】
【特許文献１】特開２００３−１８８８４５号公報
【特許文献２】特開２００３−３３３００７号公報
【発明の概要】
【発明が解決しようとする課題】
【０００７】
しかしながら、上述したように、VCGではそれぞれのVCパスがH4バイトを用いてマルチフレームを構成しており、これにより指定されるSQ番号は0〜255と規定されている。このため、1つのVCGを複数のVC-3の組(あるいは複数のVC-4の組)で構成する場合、構成メンバ数は最大256メンバと制限され、VCATを用いた場合の伝送容量の上限値は  VC-3-256v(あるいはVC-4-256v)と制限されてしまう問題があった。
【０００８】
本発明の目的は、H4バイトフォーマットを変更させることにより、256メンバ以上のVCGを構成するバーチャルコンカチネーションのＳＱ処理方法、その伝送装置及び伝送システムを提供することにある。
【課題を解決するための手段】
【０００９】
本発明のバーチャルコンカチネーションのＳＱ処理方法は、Ｈ４バイトフォーマットによるマルチフレームを用いたＳＤＨ／ＳＯＮＥＴ伝送でのバーチャルコンカチネーションのＳＱ処理方法であって、
パケットデータを、Ｈ４バイトフォーマットを用いたバーチャルコンカチネーションによるＳＤＨ／ＳＯＮＥＴ信号にマッピングする際に、前記Ｈ４バイトフォーマット内のリザーブビットをＳＱビットとして追加することを特徴とする。
【００１０】
また本発明のバーチャルコンカチネーションのＳＱ処理方法は、Ｈ４バイトフォーマットによるマルチフレームを用いたＳＤＨ／ＳＯＮＥＴ伝送でのバーチャルコンカチネーションのＳＱ処理方法であって、
パケットデータを、Ｈ４バイトフォーマットを用いたバーチャルコンカチネーションによるＳＤＨ／ＳＯＮＥＴ信号にマッピングする際に、前記Ｈ４バイトフォーマット内の偶数番目のマルチフレームの所定のフレーム番号のH4バイトの上位ビットで第１SQを指定し、奇数番目の マルチフレームの所定のフレーム番号のH4バイトの上位ビット第２SQを指定し、前記第１SQと前記第２SQとの組合せによりSQを指定することを特徴とする。
【００１１】
本発明の伝送装置は、Ｈ４バイトフォーマットによるマルチフレームを用いたＳＤＨ／ＳＯＮＥＴ伝送を行う伝送装置であって、
入力されるイーサネット信号をカプセル化してパケットデータを出力するパケット処理部と、
前記パケットデータを、Ｈ４バイトフォーマットを用いたバーチャルコンカチネーションによるＳＤＨ／ＳＯＮＥＴ信号にマッピングする際に、前記Ｈ４バイトフォーマット内のリザーブビットをＳＱビットとして追加するＳＤＨ／ＳＯＮＥＴ処理部と、
を有することを特徴とする。
【００１２】
また本発明の伝送装置は、Ｈ４バイトフォーマットによるマルチフレームを用いたＳＤＨ／ＳＯＮＥＴ伝送を行う伝送装置であって、
入力されるイーサネット信号をカプセル化してパケットデータを出力するパケット処理部と、
前記パケットデータを、Ｈ４バイトフォーマットを用いたバーチャルコンカチネーションによるＳＤＨ／ＳＯＮＥＴ信号にマッピングする際に、前記Ｈ４バイトフォーマット内の偶数番目のマルチフレームの所定のフレーム番号のH4バイトの上位ビットで第１SQを指定し、奇数番目の マルチフレームの所定のフレーム番号のH4バイトの上位ビット第２SQを指定し、前記第１SQと前記第２SQとの組合せによりSQを指定するＳＤＨ／ＳＯＮＥＴ処理部と、
を有することを特徴とする。
【発明の効果】
【００１３】
本発明では、VCGの最大構成メンバ数を増やすことが可能となり、高品質、大容量通信サービスを提供することができる。
【図面の簡単な説明】
【００１４】
【図１】本発明の一実施形態及び第１実施例に係わる伝送装置を含む伝送システムを示すブロック図である。
【図２】本発明の一実施形態に係わるH4バイトフォーマットによるマルチフレームを示す図である。
【図３】H4バイトフォーマットによるマルチフレームを示す図である。
【図４】H4バイトフォーマットを用いたVCAT方式によるSDH/SONET信号を示す図である。
【図５】本発明の第２の実施例に係わるH4バイトフォーマットによるマルチフレームを示す図である。
【図６】LCASを用いる際に利用するH4バイトフォーマットによるマルチフレームを示す図である。
【図７】SQ1、SQ2の組合せによるSQ値を示す図である。
【図８】本発明の第３の実施例に係わるH4バイトフォーマットによるマルチフレームを示す図である。
【発明を実施するための形態】
【００１５】
図1において、中継伝送装置2-1と中継伝送装置2-2は、図3に示されるH4バイトフォーマットによるマルチフレームを用いたSDH/SONET伝送能力を有する。本実施形態ではITU-T G.707に定義されている図2に示されるMultiframe number内の1st Multiframe number 13のReserved(“0000”)を新たにSequence indicator SQとして定義し、これを用いている。本実施形態では、従来のバーチャルコンカチネーション(VCAT)技術よりも大きいVCGメンバ数を指定できるSQ(Sequence indicator SQ)処理方式をSDH/SONET伝送装置に備えさせることで、より高速なデータ伝送を可能とする。
【００１６】
中継伝送装置2-1はイーサネット（Ethernet）機器1-1から送信されたイーサネット（Ethernet）信号をSDH/SONET信号に収容して、伝送路を通じて中継伝送装置2-2へ伝送する。この際、SDH/SONET処理部23-1では、パケットデータを図3に示されるH4バイトフォーマットを用いたVCAT方式によるSDH/SONET信号にマッピングする。例えばVC-3(あるいはVC-4)の場合、図4に示されるようにH4バイトが16フレームで1マルチフレームを構成し、256個の1stマルチフレーム(16×256 = 4096)で2ndマルチフレームを構成する。また、SQはVCGの構成メンバを示しており、各1stマルチフレーム内のフレーム番号13、14及び15(13、14番目及び15番目のフレーム)のH4バイトの各上位4bit(各bit1〜4=SQのbit1〜4、5〜8および9〜12の合計12bit)で4096個のいずれかの番号を指定する。これにより、VCG構成メンバの最大値は4096となり、伝送容量の上限値はVC-3-4096v(あるいはVC-4-4096v)となる。
【００１７】
一方、中継伝送装置2-2は受信したSDH/SONET信号をSDH/SONET処理部23-2でデマッピングし、取り出されたイーサネット信号をイーサネット機器1-2へ送信する。
【００１８】
このようにして、本実施形態ではVC-3-256v(あるいはVC-4-256v)以上の伝送容量が必要な場合、新たなH4バイトフォーマットを用いたマルチフレーム処理を行うことで最大VC-3-4096v(あるいはVC-4-4096v)まで伝送可能となる。
【００１９】
本願では、ITU-T G.707に定義されている図2のマルチフレーム内の1st Multiframe number 13のH4バイトのReserved(”0000”)をSequence indicator SQ bitとして使用しているが、例えば図2のマルチフレーム内のReserved(”0000”)をN bitを追加してSQを表現することで2(8 + N) 個のSQ値を指定することが可能となり、そのときの最大伝送容量はVC-3-2(8 + N)(あるいはVC-4-2(8 + N))まで増加させることができる。これにより、高品質、大容量な通信サービスを提供することができる。
【００２０】
以下、更に具体的な実施例について説明する。
［第1の実施例］
図1は本発明に係わる第１の実施例を示すブロック構成図である。2つのイーサネット機器1-1、1-2はそれぞれ、IEEE802.3にて規定されているフレームを転送する機能及びイーサネットインタフェースを行うポート11-1，11-2を有する。2つの中継伝送装置2-1、2-2はそれぞれポート21-1，21-2、パケット処理部22-1，22-2及びSDH/SONET処理部23-1，23-2を有し、SDH/SONET信号に対するイーサネット信号の収容、抽出を行う。
【００２１】
図1において、本実施例のバーチャルコンカチネーション伝送システムはイーサネット機器1-1のポート11と中継伝送装置2-1のポート21-1とがケーブルを介して接続されている。同様にイーサネット機器1-2のポート11-2と中継伝送装置2-2のポート21-2とがケーブルを介して接続されている。中継伝送装置2-1のSDH/SONET処理部23-1と中継伝送装置2-2のSDH/SONET処理部23-2とが伝送路を通して接続されている。VCG31は、VCAT技術により複数のVC-3の組(あるいは複数のVC-4の組)で構成されたVCパスのまとまりを意味する。
【００２２】
さらに各イーサネット機器1-1、1-2には図示していないがイーサネット信号を送受信するほかの機器が接続されている。イーサネット機器1-1は、自装置に接続されたほかの機器から受信したイーサネット信号のうち、イーサネット機器1-2(及びその配下)へ送信すべき信号を中継伝送装置2-1へ送信する。その逆に、イーサネット機器1-1は、中継伝送装置2-1から受信したイーサネット機器1-2(及びその配下)から送信されたイーサネット信号を、自装置に接続された対応するほかの機器へ送信する。イーサネット機器1-2の動作もまったく同様であり、各イーサネット機器1-1、1-2及び中継伝送装置2-1、2-2の符号を互いに読み替えればよい。
【００２３】
中継伝送装置2-1はイーサネット機器1-1から受信したイーサネット信号をSDH/SONET信号に収容して伝送路を通して中継伝送装置2-2へ伝送する。中継伝送装置2-1は反対に、伝送路を通して中継伝送装置2-2から受信したSDH/SONET信号からイーサネット信号を抽出して、イーサネット機器1-1へ送信する。中継伝送装置2-2の動作もまったく同様であり、各イーサネット機器1-1、1-2及び中継伝送装置2-1、2-2の符号を互いに読み替えればよい。
【００２４】
各中継伝送装置2-1、2-2のパケット処理部22-1，22-2はポート21-1，21-2を介して接続されたイーサネット機器1-1、1-2から入力されるイーサネット信号を、例えばITU-T G.7041のGFP(Generic Framing Procedure)等を用いてカプセル化する。GFPによれば、イーサネットなどの各種プロトコルをSDH/SONETなどの伝送ネットワークに柔軟で効率よくマッピングすることができる。パケット処理部22-1，22-2はカプセル化した信号をSDH/SONET処理部23-1，23-2に送信する。また、パケット処理部22-1，22-2は反対にSDH/SONET処理部23-1，23-2から受信したGFP等のパケットデータをデカプセル化し、イーサネット信号に変換して、ポート21-1，21-2を介して接続されたイーサネット機器1-1、1-2へ送信する。
【００２５】
各中継伝送装置2-1、2-2のSDH/SONET処理部23-1，23-2は自装置のパケット処理部22-1，22-2においてカプセル化されたパケットデータをSDH/SONET信号にて構成されるVCG31に収容する。このとき、図3に定義されたH4バイトフォーマットを利用してマルチフレームアライメントをとっている。SDH/SONET処理部23-1，23-2はVCG31のSDH/SONET信号を伝送路を介して対向する中継伝送装置2-2，2-1のSDH/SONET処理部23-2，23-1へ送信する。SDH/SONET処理部23-1，23-2はまた、対向する中継伝送装置2-2、2-1のSDH/SONET処理部23-2，23-1から受信したVCG31を構成するVCパスよりパケットデータを取り出し、自装置のパケット処理部22-1，22-2へ送信する。このようにして、バーチャルコンカチネーション伝送システムはイーサネット回線からのフレームをSDH/SONETネットワークを使って遠方のイーサネット回線へ伝送することができる。
【００２６】
次に本実施例の動作を説明する。ここではイーサネット機器1-1からイーサネット1-2へイーサネット信号を送信する場合を例に説明する。イーサネット機器1-2からイーサネット機器1-1へイーサネットを送信する場合の動作もまったく同様であり、各イーサネット機器1-1、1-2及び中継伝送装置2-1、2-2の符号を互いに読み替えればよい。
【００２７】
イーサネット機器1-1から出力されたイーサネット信号は中継伝送装置2-1に入力され、ポート21-1からパケット処理部22-1へ入力される。パケット処理部22-1にてカプセル化されたパケット信号がSDH/SONET処理部23-1へ入力され、保守運用情報を転送するためのOverheadと共にSTMフレームにマッピングされてSDH/SONET回線へと出力される。ここで、保守運用情報を転送するためのOverheadの一つであるマルチフレーム情報の挿入に関して説明する。
【００２８】
SDH/SONET処理部23-1では、パケットデータを図3に示されるH4バイトフォーマットを用いたSDH/SONET信号にマッピングする。すなわち各H4バイトの下位4bit(bit5〜8=MFI1のbit1〜4)で1マルチフレーム内の16個(0〜15)のフレーム番号のいずれかを指定し、フレーム番号0及び1の各上位4bit(各bit1〜4=MFI2のbit1〜4およびbit5〜8の計8bit)で256個のマルチフレームのいずれかの番号を指定する。また、SQは各マルチフレーム内のフレーム番号13、14及び15(13、14番目及び15番目のフレーム)のH4バイトの各上位4bit(各bit1〜4=SQのbit1〜4、5〜8および9〜12の計12bit)で4096個のSQのいずれかの番号を指定する。
【００２９】
一方、中継伝送装置2-2では、受信したSDH/SONET信号をSDH/SONET処理部23-2へ入力する。ここで終端されるOverhead情報よりH4バイトが読み取られ、これを基にVCGの構成要素であるマルチフレームとSQ番号が抽出される。次にマルチフレームを用いて各VCパスに対する位相合わせが行われ、最後にSQに従い各VCパスのペイロードデータの並び替えおよびデマッピングが行われる。このようして、対向側で送信されたパケットデータ(GFPなどによりカプセル化されたパケットデータ)を復元する。パケット処理部22-2は、SDH/SONET処理部23-2からのパケットデータをデカプセル化し、イーサネット信号に変換して、ポート21-2を通してイーサネット機器1-2へ送信する。
【００３０】
以上説明したように、本実施例ではVC-3(あるいはVC-4)のパスを送信データの必要帯域に応じてVCGを構成する際、VCG内各パスの各フレームに送信データをマッピングするとともに、VCG内の位置及び送信順序を示すための識別情報(H4バイト)に新たなSQ用のbitを定義し、これを用いる。このフォーマットを用いた識別情報に基づいて、各パスのフレームに対し、送信データのマッピングと受信した送信データのデマッピングを行う。これにより、VCAT送信データの帯域上限値をVC-3-4096v(あるいはVC-4-4096v)とすることができ、ITU-T G.707にて勧告されている従来のVCAT技術よりも大きな伝送容量を持つVCGを構築することができる。
［第2の実施例］
上述した第１の実施例においては、SDH/SONET処理部23-1，23-2においてITU-TのG.707にて定義されているH4バイトのReserved(”0000”)の一部をSequence indicator SQとして新たに利用していた。本実施例では、Sequence indicator SQを追加定義することなくVCG構成メンバ数の上限値を大きくする。なお、本実施例のバーチャルコンカチネーション伝送システム、伝送装置の基本的な構成、動作を示す図は第１の実施例の説明において使用した図1の構成と同様である。
【００３１】
SDH/SONET処理部23-1，23-2では、パケットデータを図5に示されるH4バイトフォーマットを用いたSDH/SONET信号にマッピングする。すなわち各H4バイトの下位4bit(bit5〜8=MFI1のbit1〜4)で1マルチフレーム内の16個(0〜15)のフレーム番号のいずれかを指定し、フレーム番号0及び1の各上位4bit(各bit1〜4=MFI2のbit1〜4およびbit5〜8の計8bit)で256個のマルチフレームのいずれかの番号を指定する。図4に示すように、VC-3(あるいはVC-4)はH4バイトを16フレーム組み合わせて1マルチフレームを構成し、256個の1stマルチフレーム(4096フレーム)で2ndマルチフレームを構成する。また、SQは図5に示されるようにSQ1、SQ2の二つの値を用いて指定する。まず、偶数番目のマルチフレームのフレーム番号14及び15(14番目及び15番目のフレーム)のH4バイトの各上位4bit(各bit1〜4=SQ1のbit1〜4、5〜8の計8bit)で256個のSQ1番号を指定し、同様に奇数番目の マルチフレームのフレーム番号14及び15(14番目及び15番目のフレーム)のH4バイトの各上位4bit(各bit1〜4=SQ2のbit1〜4、5〜8の計8bit)で256個のSQ2を指定する。そして、図7に示されるようにSQ1、SQ2の組合せによりSQ値を指定する。このようにすることで、SQは256×256= 65536個の値を取ることが可能となる。
【００３２】
ところで、VCATを用いた技術の一つにLCAS（Link Capacity Adjustment Scheme）がある。LCASはITU-T勧告G.7042にて規定されており、VCGのメンバの追加/削除による帯域増減を無瞬断で実施することを可能とする。これにより、フレキシブルな帯域増加/減少が可能となる。図6にITU-TのG.707にて定義されている、LCASを用いる際に利用するH4バイトフォーマットを示す。
【００３３】
LCASを本実施例2に適用した場合の注意点は、図6に示されるLCASを用いた場合のH4バイトフォーマット内のメンバステータスbitの使用である。従来、メンバステータスとは1マルチフレームで8bit定義されており、1bitが1つのVCGメンバのステータスを示すため、1マルチフレームで8つのメンバのステータスを示すことができる。マルチフレームは256個で一巡してしまうため、メンバステータスの上限値は8×256 = 2048個となってしまう。このため、LCASを本実施例2に適用する場合、SQ値は65536個指定することができるものの、メンバステータスが2048個で制限されてしまうため、VCGの最大メンバ数は2048個となってしまうことになる。
［第3の実施例］
本実施例では、LCASを本実施例2に適用する場合に図8に示すように新たにメンバステータスbitを追加定義するようにした。図8に示されるH4バイトフォーマットを使用した場合、1マルチフレームで28個のVCGメンバのステータスを送信可能であり、最大28×256=7168個までVCGメンバのステータスを送信することができる。これによりVCGの最大メンバ数は7168個となり、LCASを本実施例2に適用した場合の最大伝送容量はVC-3-7168v(あるいはVC-4-7168v)となる。本稿では、LCASを本実施例2に適用する場合、図6に示されるH4バイトフォーマットのReserved(”0000”)を全てメンバステータスbitとして使用しているが、必ずしも全てのメンバステータスbitを使用する必要はない。図示しないが、例えば図6のH4バイトフォーマットにメンバステータスをN bit追加した場合、1マルチフレームで8+N個のVCGメンバのステータスを送信可能となり、そのときの最大伝送容量はVC-3-(8+N)×256v(あるいはVC-4-(8+N)×256v)となる。
【００３４】
以上説明した各実施例では従来のH4バイトフォーマット内のReserved(”0000”)を新たにSequence indicator SQとして追加定義し、これを用いたマルチフレーム処理によるSDH/SONET伝送を行うことでVCGの最大構成メンバ数を例えば4bit追加使用にて4096個、あるいはN bit追加使用にて2(8 + N)個まで増やすことが可能となり、高品質、大容量通信サービスを提供することができる。
【産業上の利用可能性】
【００３５】
本発明は、H4バイトフォーマットによるマルチフレームを用いたSDH/SONET伝送能力を有する伝送装置及び伝送システムに利用される。
【符号の説明】
【００３６】
1-1，1-2  イーサネット（Ethernet）機器
2-1，2-2  中継伝送装置
21-1，21-2  ポート
22-1，22-2  パケット処理部
23-1，23-2  ＳＤＨ／ＳＯＮＥＴ処理部
31  VCG
【図１】
2010226166.tif 000003
【図２】
2010226166.tif 000004
【図３】
2010226166.tif 000005
【図４】
2010226166.tif 000006
【図５】
2010226166.tif 000007
【図６】
2010226166.tif 000008
【図７】
2010226166.tif 000009
【図８】
2010226166.tif 000010